(57)【特許請求の範囲】
【請求項１】
環状に並べられる複数の演出部材と、
前記複数の演出部材同士の間に介在され、一の演出部材の一方側に位置する一方側接続部とそれに隣接する他の演出部材の他方側に位置する他方側接続部にそれぞれが接続される複数の中継部材と、
前記複数の中継部材を変位させる駆動機構と、
を備え、
前記各演出部材における前記一方側接続部の位置と前記他方側接続部の位置は異なっているとともに、前記各中継部材における前記一の演出部材の一方側接続部が接続される箇所と前記他の演出部材の他方側接続部が接続される箇所は異なっており、
前記駆動機構を駆動し、前記各中継部材を変位させることで、前記一の演出部材の一方側接続部と前記他の演出部材の他方側接続部の相対位置が変化し、前記各演出部材同士の相対位置が変化することを特徴とする遊技機。
【発明の詳細な説明】
【技術分野】
【０００１】
本発明は、環状に並べられた複数の演出部材を備える遊技機に関する。
【背景技術】
【０００２】
下記特許文献１には、丸い演出体（３０）を備えた遊技機が記載されている。この丸い演出体は、その位置を変化させることができるものの、その形態等を変化させることができるものではないという点で、演出効果に乏しい。
【先行技術文献】
【特許文献】
【０００３】
【特許文献１】特開２０１２−２３９８４４号公報
【発明の概要】
【発明が解決しようとする課題】
【０００４】
本発明が解決しようとする課題は、環状に並べられた複数の演出部材を用いて趣向性の高い演出を実行することが可能な遊技機を提供することである。
【課題を解決するための手段】
【０００５】
上記課題を解決するためになされた請求項１の発明にかかる遊技機は、環状に並べられる複数の演出部材と、前記複数の演出部材同士の間に介在され、一の演出部材の一方側に位置する一方側接続部とそれに隣接する他の演出部材の他方側に位置する他方側接続部にそれぞれが接続される複数の中継部材と、前記複数の中継部材を変位させる駆動機構と、を備え、前記各演出部材における前記一方側接続部の位置と前記他方側接続部の位置は異なっているとともに、前記各中継部材における前記一の演出部材の一方側接続部が接続される箇所と前記他の演出部材の他方側接続部が接続される箇所は異なっており、前記駆動機構を駆動し、前記各中継部材を変位させることで、前記一の演出部材の一方側接続部と前記他の演出部材の他方側接続部の相対位置が変化し、前記各演出部材同士の相対位置が変化することを特徴とする遊技機。
【発明の効果】
【００１０】
請求項１に記載の発明によれば、各中継部材を変位させることで、一の演出部材の一方側接続部と他の演出部材の他方側接続部の相対位置が変化し、各演出部材同士の相対位置が変化する。つまり、環状に並べられた複数の演出部材によって構成される演出形態の全体が変化する趣向性の高い演出を実行することが可能である。
【図面の簡単な説明】
【００１４】
【図１】本発明の一実施形態にかかる遊技機の正面図である。
【図２】演出装置の正面図であって、第一演出ユニットが備える第一分割部と第二分割部が第一状態にあり、第二演出ユニットが初期状態にあるときを示したものである。
【図３】演出装置の背面図であって、第一演出ユニットが備える第一分割部と第二分割部が第一状態にあり、第二演出ユニットが初期状態にあるときを示したものである。
【図４】演出装置の正面図であって、第一演出ユニットが備える第一分割部と第二分割部が第二状態にあり、第二演出ユニットが演出状態にあるときを示したものである。
【図５】演出装置の背面図であって、第一演出ユニットが備える第一分割部と第二分割部が第二状態にあり、第二演出ユニットが演出状態にあるときを示したものである。
【図６】演出状態にある第二演出ユニットの背面図である。
【図７】初期状態にある第二演出ユニットを模式的に示した図である。
【図８】演出状態にある第二演出ユニットを模式的に示した図である。
【図９】第一演出ユニットの変形例を説明するための図である。
【発明を実施するための形態】
【００１５】
以下、本発明にかかる実施形態について図面を参照して詳細に説明する。なお、以下の説明における平面方向とは遊技盤９０の平面方向に沿う（平行な）方向を、前後方向とは遊技盤９０の平面方向に直交する方向（遊技者側を前、その反対側を後とする）を、左右方向（幅方向）とは図１の左右方向を、上下方向とは図１の上下方向をいうものとする。
【００１６】
まず、図１を参照して遊技機１の全体構成について簡単に説明する。遊技機１は遊技盤９０を備える。遊技盤９０は、ほぼ正方形の合板により成形されており、発射装置９２の操作によって発射された遊技球を遊技領域９０２に案内する金属製の薄板からなる帯状のガイドレール９０３が略円弧形状となるように設けられている。
【００１７】
遊技領域９０２には、表示装置９１、第一始動入賞口９０４、第二始動入賞口９０５、大入賞口９０６、アウト口９０７などが設けられている。表示装置９１は、例えば液晶表示装置が用いられ、表示装置９１の表示画面（表示部）において特別図柄や普通図柄等が表示される。かかる表示装置９１の表示画面は、遊技盤９０に形成された開口９０１を通じて視認可能である。
【００１８】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００１９】
このような遊技機１では、発射装置９２を操作することにより遊技領域９０２に向けて遊技球を発射する。遊技領域９０２を流下する遊技球が、始動入賞口９０４、９０５や大入賞口９０６等の入賞口に入賞すると、所定の数の賞球が払出装置により払い出される。その他、大当たりの抽選方法や演出等は、公知の遊技機と同様のものが適用できるため、説明は省略する。
【００２０】
本実施形態にかかる遊技機１には、遊技盤９０の上側後方に演出装置１ａが設けられている。本実施形態における演出装置１ａは、表示装置９１の前側で遊技盤９０の開口９０１を通じて視認可能な環状の演出形態１ｒを構築する第一演出ユニット１０、およびこの環状の演出形態１ｒと組み合わされた演出形態を構築する第二演出ユニット２０ものである。以下、かかる演出装置１ａの構成について詳細に説明する。
【００２１】
［第一演出ユニット１０の構成］
図２〜図５等を参照して第一演出ユニット１０について説明する。本実施形態における第一演出ユニット１０は、環状の演出形態１ｒを構築する複数の分割部として、左側第一分割部１１Ｌ（一方側第一分割部）、左側第二分割部１２Ｌ（一方第二分割部）、右側第一分割部１１Ｒ（他方側第一分割部）、および右側第二分割部１２Ｒ（他方側第二分割部）を有する（図２、図４等参照）。各分割部は、中心角が略４５度の円弧形状を呈する。左側第一分割部１１Ｌと右側第一分割部１１Ｒ、左側第二分割部１２Ｌと右側第二分割部１２Ｒは左右対称形状であり、それを駆動する駆動機構も同じであるため、以下では特に明示した場合を除き、左側第一分割部１１Ｌと左側第二分割部１２Ｌの形状等を説明する（単に第一分割部１１、第二分割部１２と称する）。
【００２２】
図３、図５等に示すように、これら第一分割部１１および第二分割部１２を駆動するための駆動機構を構成する歯車はベース部材３０に支持されている。ベース部材３０は、遊技機１の本体側に固定されたレール部材３１にラック部材３２を介して支持されている。レール部材３１は、上下方向に沿って配置された部材であり、上下方向に延びる誘導部３１１を有する。ラック部材３２の一端に設けられた被誘導部３２１は、当該誘導部３１１に係合している。この誘導部３１１と被誘導部３２１に係合により、ラック部材３２はレール部材３１に誘導されることにより上下方向にスライドする。
【００２３】
ベース部材３０はラック部材３２に対してスライド自在に係合している。具体的には、ラック部材３２はベース部材３０の幅方向中央で係合している。ラック部材３２の幅方向両側にはラック部３２２が形成されている。このラック部３２２と、複合歯車である一番車３３の一方の歯車部に噛み合っている。第一歯車の他方の歯車部には複合歯車である二番車３４の一方の歯車部が噛み合っている。二番車３４の他方の歯車部には複合歯車である第一駆動歯車３５の一方の歯車部が噛み合っている。第一駆動歯車３５の他方の歯車部には第二駆動歯車３７が噛み合っている。これら一番車３３、二番車３４、第一駆動歯車３５、第二駆動歯車３７は全てベース部材３０に回動自在に支持されている。
【００２４】
第一分割部１１の後面には第一レバー３６の一端が接続されている。第一レバー３６の他端は第一駆動歯車３５に接続されている。つまり、第一分割部１１は、第一レバー３６を介して第一駆動歯車３５に連結されている。第二分割部１２の後面には第二レバー３８の一端が接続されている。第二レバー３８の他端は第二駆動歯車３７に接続されている。つまり、第二分割部１２は、第二レバー３８を介して第二駆動歯車３７に連結されている。
【００２５】
ベース部材３０は、その幅方向両側に設けられたベース部材駆動機構４０によって上下方向にスライドする。ベース部材３０を上下方向にスライドさせることができるものであれば、当該駆動機構はどのようなものであってもよいから説明を省略する。
【００２６】
［第一演出ユニット１０の動作］
上記構成を有する第一演出ユニット１０は、次のように動作する。ベース部材３０が最も上方（原位置）に位置し、第一演出ユニット１０が待機状態（演出に用いていない状態）にあるとき、第一分割部１１と第二分割部１２は互いに沿うようにして前後方向に重なった第一状態にある。つまり、第一分割部１１の「円弧」と第二分割部１２の「円弧」が一致するようにして重なった状態にある。ここで、「互いに沿うように重なった状態」とは、円弧の凸の方向が略一致するように、第一分割部１１と第二分割部１２の少なくとも一部が重なった状態をいうものとする。少なくとも一部が重なっていれば周方向（円弧の方向）にずれていてもよい。
【００２７】
本実施形態では、左側第一分割部１１Ｌと左側第二分割部１２Ｌが左上において重なった状態にあり、右側第一分割部１１Ｒと右側第二分割部１２Ｒが右上において重なった状態にある。重なった状態にある第一分割部１１と第二分割部１２（前方に位置する分割部）は、その大部分が遊技盤９０によって覆われた状態にある。このように、第一分割部１１と第二分割部１２はコンパクトにまとまった状態で待機する（図２等参照）。
【００２８】
環状の演出形態１ｒを構築する際には、ベース部材３０を下方にスライドさせる。ベース部材３０が下方にスライドすると、まずレール部材３１の誘導部３１１内をラック部材３２の被誘導部３２１が下方にスライドする。被誘導部３２１が誘導部３１１内の下端まで到達すると、被誘導部３２１がそれ以上誘導部３１１内をスライドすることができなくなるから、被誘導部３２１を有するラック部材３２の下方への移動が阻止される。つまり、ラック部材３２はその位置に留まったままベース部材３０が下方に移動するから、ラック部材３２とベース部材３０の相対位置が変化する。そのため、ラック部材３２のラック部３２２に噛み合っている一番車３３、それに噛み合っている二番車３４が回転する。
【００２９】
二番車３４が回転すると、それに噛み合っている第一駆動歯車３５が回転する。第一駆動歯車３５が回転するとその回転中心を中心として第一レバー３６が回動する。これにより、第一レバー３６に接続された第一分割部１１が下方に向かって変位する。具体的には、第一駆動歯車３５の回転中心を中心とした円弧（第一レバー３６の長さを半径とする円弧）を描くように第一分割部１１が下方に向かって変位する。
【００３０】
また、第一駆動歯車３５が回転すると、それに噛み合っている第二駆動歯車３７も回転する。第二駆動歯車３７が回転するとその回転中心を中心として第二レバー３８が回動する。これにより、第二レバー３８に接続された第二分割部１２が上方に向かって変位する。具体的には、第二駆動歯車３７の回転中心を中心とした円弧（第二レバー３８の長さを半径とする円弧）を描くように第二分割部１２が上方に向かって変位する。
【００３１】
このように、ベース部材３０が下方にスライドすると、ベース部材３０とラック部材３２の相対位置が変位することにより、ベース部材３０が下方にスライドする動力の一部が第一分割部１１および第二分割部１２に伝わる。これにより、第一分割部１１は下方に、第二分割部１２は上方に変位する。つまり、第一分割部１１と第二分割部１２は、互いに離れる方向に変位する。最終的には、第一分割部１１の上端（第二分割部１２側端部）と第二分割部１２の下端（第一分割部１１側端部）の位置（平面方向における位置）が略一致した第二状態となる。
【００３２】
第一分割部１１と第二分割部１２がかかる第二状態となることで環状の演出形態１ｒが構築される。具体的には、正面から見て、左側第一分割部１１Ｌと左側第二分割部１２Ｌが左半分の円弧を構築し、右側第一分割部１１Ｒと右側第二分割部１２Ｒが右半分の円弧を構築する。これらが組み合わされて環状の演出形態１ｒが構築される（図４等参照）。
【００３３】
なお、構築される環状の演出形態１ｒは、大まかに見て環状であればよく、一部の分割部同士の間に隙間が生じるような構成であってもよい。後述するように、本実施形態では、環状の演出形態１ｒの内側に第二演出ユニット２０（演出体）が位置することになるが、見た目上、当該演出体が通過できないような大きさの隙間は存在していてもよい。これに対し、分割部同士が一部重なった状態で環状の演出形態１ｒが構築されるものであってもよい。つまり、第一分割部１１と第二分割部１２が第一状態にあるときよりも第二状態にあるときの方が互いに重なる領域が小さくなる（全く重ならなくてもよい）ように構成されていればよい。
【００３４】
また、一部の分割部の幅が他の分割部と異なっており、周方向において幅が一定でない環状の演出形態１ｒが構築されるものであってもよい。
【００３５】
環状の演出形態１ｒが構築された状態でベース部材３０を上方にスライドさせれば、各部材が上記とは逆方向に変位し、各分割部が第一状態（待機状態）に戻る。
【００３６】
このように、演出装置１ａが備える第一演出ユニット１０は、待機状態にあるとき、すなわち環状の演出形態１ｒが構築されていないとき、第一分割部１１と第二分割部１２が互いに沿うようにして重なった第一状態にあるから、装置をコンパクトなものとすることが可能である。また、第一分割部１１と第二分割部１２の両方を駆動させる駆動機構を簡易なものとすることが可能である。
【００３７】
特に、本実施形態における第一演出ユニット１０のように、環状の演出形態１ｒが構築されていないときに、一組の分割部（左側第一分割部１１Ｌと左側第二分割部１２Ｌ）がある箇所にまとまって位置し、もう一組の分割部（右側第一分割部１１Ｒと右側第二分割部１２Ｒ）が別の箇所にまとまって位置するように構成することが可能である。つまり、環状の演出形態１ｒを構築する四つの分割部を四方に待機させておく、といった構成ではないから、装置をコンパクトなものとすることが可能である。
【００３８】
また、第一分割部１１に連結された第一駆動歯車３５とそれに噛み合う第二分割部１２に連結された第二駆動歯車３７を用いることにより、両分割部が互いに離れる方向に変位する構造（駆動機構）を容易に構築することが可能である。
【００３９】
［第二演出ユニット２０の構成］
図２〜図８等を参照して第二演出ユニット２０について説明する。第二演出ユニット２０は、上記ベース部材３０に支持されている。本実施形態における第二演出ユニット２０は、その全体の形態を変化させることができるものである。第二演出ユニット２０は、複数の演出部材２１と、それと同数の複数の中継部材２２を備える。本実施形態における第二演出ユニット２０は、三つの演出部材２１および三つの中継部材２２を備える（図２等参照）。
【００４０】
演出部材２１は、細長い板状の部材であって、中継部材２２（演出部材２１よりは短い）を介して環状に並ぶように配置されている。具体的には、一の中継部材２２には、一の演出部材２１の一方側に設けられる一方側接続部２１１が回動自在に接続されるとともに、一の演出部材２１に隣接する他の演出部材２１の他方側に設けられる他方側接続部２１２が回動自在に接続される。演出部材２１基準でみれば、一の演出部材２１の一方側接続部２１１がある中継部材２２に回動自在に接続され、他方側接続部２１２が別の中継部材２２に回動自在に接続される。つまり、演出部材２１同士が中継部材２２を介して互いに連結されている（図６〜図８等参照）。本実施形態における各演出部材２１は、内側の側縁が直線状である。したがって、複数の演出部材２１が環状に並べられると、その内側には多角形状の領域が形成される。演出部材２１の数がＮであれば、Ｎ角形の領域が形成される。本実施形態では、第二演出ユニット２０は、三つの演出部材２１が三角形を構築するように環状に並べられる。
【００４１】
各中継部材２２における一の演出部材２１の一方側接続部２１１が回動自在に接続された箇所と、他の演出部材２１の他方側接続部２１２が回動自在に接続された箇所は異なる。つまり、一の演出部材２１の一方側接続部２１１の中継部材２２に対する回動中心の位置と、他の演出部材２１の他方側接続部２１２の中継部材２２に対する回動中心の位置は異なる（図６〜図８等参照）。
【００４２】
また、一の演出部材２１の一方側接続部２１１は、中継部材２２の前側に接続されている。一方、他の演出部材２１の他方側接続部２１２は、中継部材２２の後側に接続されている。したがって、各演出部材２１は、それぞれの一方側端部が隣接する演出部材２１の他方側端部よりも前方に位置するようにして環状に並ぶ（図２、図４等参照）。
【００４３】
また、本実施形態における第二演出ユニット２０は、装飾部材２３を備える。装飾部材２３は、演出部材２１と中継部材２２によって構成される部組の後方に設けられる。後述するように、第二演出ユニット２０は、環状に並んだ複数の演出部材２１によって囲まれる領域の大きさを変化させることが可能であるところ、装飾部材２３は当該複数の演出部材２１によって囲まれる領域を通じて少なくとも一部が視認可能となるように配置される（図２、図４、図６等参照）。装飾部材２３の構成（装飾態様）はどのようなものであってもよい。本実施形態における装飾部材２３は、光が乱反射するように凹凸が施された部分を有する。
【００４４】
この演出部材２１の後方にはリング歯車２４が設けられている。リング歯車２４の中心は、上記第一演出ユニット１０が構築する環状の演出形態１ｒの中心と略一致する。リング歯車２４にはその周方向に沿う三つの長孔２４１が形成されており、当該長孔２４１のそれぞれには装飾部材２３に形成された係合突起２３１が係合している。各係合突起２３１は各長孔２４１内をスライド自在である。リング歯車２４の外側に形成された歯車部には、三つの伝達部材２５のそれぞれが有する伝達歯車２５１が噛み合っている。三つの伝達歯車２５１は、リング歯車２４の周方向において等間隔に位置する。リング歯車２４はベース部材３０に固定された駆動モータ２６によって回転させられる（モータの出力軸に固定された歯車（図示略）が、リング歯車２４に噛み合っている）（図６等参照）。
【００４５】
各伝達部材２５は、装飾部材２３を貫き、各中継部材２２に対して回動自在に接続されている。具体的には、各伝達部材２５における伝達歯車２５１が形成された側の反対側の端部が、各中継部材２２に接続されている。ここで、伝達部材２５と中継部材２２の接続箇所は、中継部材２２における一の演出部材２１の一方側接続部２１１が接続された箇所と、他の演出部材２１の他方側接続部２１２が接続された箇所と異なる。本実施形態では、伝達部材２５と中継部材２２の接続箇所（回動中心Ｃ）は、中継部材２２における一の演出部材２１の一方側接続部２１１が接続された箇所と、他の演出部材２１の他方側接続部２１２が接続された箇所の間に位置する（図６〜図８参照）。したがって、中継部材２２が回動すると、その回動中心Ｃを中心として、一の演出部材２１の一方側接続部２１１が接続された箇所と、他の演出部材２１の他方側接続部２１２が接続された箇所が変位することとなる。
【００４６】
［第二演出ユニット２０の動作］
上記構成を有する第二演出ユニット２０は、次のように動作する。初期状態の第二演出ユニット２０は、環状に並んだ複数の演出部材２１によって囲まれる領域（本実施形態では略三角形の領域）が最も小さい状態にある（図２等参照）。かかる初期状態から、当該領域を大きくする際には、駆動モータ２６を駆動させる（正転させる）。
【００４７】
駆動モータ２６を駆動させる（正転させる）ことにより、リング歯車２４が回転する。リング歯車２４が回転するとそれに噛み合っている各伝達歯車２５１が回転する。つまり、伝達歯車２５１を有する各伝達部材２５が、伝達歯車２５１の中心を回動中心Ｃとして回動する。各伝達部材２５は中継部材２２に接続されているため、伝達歯車２５１の中心を回動中心Ｃとして中継部材２２が回動する（駆動モータ２６、リング歯車２４および伝達部材２５（２５１）等が、中継部材２２を変位させる駆動機構として機能する）。伝達部材２５と中継部材２２の接続箇所でもある中継部材２２の回動中心Ｃは、上述したように、中継部材２２における一の演出部材２１の一方側接続部２１１が接続された箇所と、他の演出部材２１の他方側接続部２１２が接続された箇所の間に位置する。したがって、中継部材２２が回動することにより、一の演出部材２１の一方側接続部２１１が接続された箇所と、他の演出部材２１の他方側接続部２１２が接続された箇所が変位することとなる。
【００４８】
具体的には、初期状態にあるときには、一の演出部材２１の一方側接続部２１１と他方側接続部２１２を結んだ直線Ｌが、それに隣接する他の演出部材２１の一方側接続部２１１と他方側接続部２１２を結んだ直線Ｌと交差する（図７等参照）。つまり、各演出部材２１が中央側（リング歯車２４の中心側）に集まった状態にあるため、複数の演出部材２１によって囲まれる領域（三角形状）が小さくなる（図２、図７等参照）。
【００４９】
駆動モータ２６を駆動させ、各中継部材２２が回動すると、各演出部材２１が外側に離れていく。具体的には、一の演出部材２１の一方側接続部２１１と他方側接続部２１２を結んだ直線Ｌが、それに隣接する他の演出部材２１の一方側接続部２１１と他方側接続部２１２を結んだ直線Ｌと交差しない状態となる（図８等参照）。つまり、複数の演出部材２１によって囲まれる領域（三角形状）が大きくなる。したがって、当該領域から視認される装飾部材２３の大きさ（面積）が大きくなる（図４、図８等参照）。
【００５０】
本実施形態では、内側が直線状である複数の演出部材２１を用い、演出部材２１によって囲まれる領域が多角形状となるようにしている。装飾部材２３は、演出部材２１によって囲まれる領域が最大となったとき、当該領域の全部に重なるように設けられる。つまり、装飾部材２３は、当該最大となった領域よりも大きい。このような構成とするだけで、（実際には装飾部材２３自体の大きさは変化しないにも拘わらず）あたかも多角形状の装飾部材２３の大きさが変化したしたかのような演出態様とすることが可能である。
【００５１】
また、リング歯車２４が回転すると、その長孔２４１に係合する装飾部材２３の係合突起２３１が長孔２４１内における位置を変化させていく。具体的には、係合突起２３１は、長孔２４１の一方側端部から移動し、最終的には他方側端部に到達する。係合突起２３１が長孔２４１の一方側端部から他方側端部に到達するまでは、リング歯車２４の回転は直接装飾部材２３に伝わらない。つまり、リング歯車２４が回転しても装飾部材２３は回転（変位）しない。係合突起２３１が長孔２４１の他方側端部に到達する（図６に示した位置に到達する）と、係合突起２３１が長孔２４１の他方側端部の内壁面を押すことにより、リング歯車２４の回転が装飾部材２３に伝わる。つまり、リング歯車２４と装飾部材２３が一体的に回転しようとする。装飾部材２３には各伝達部材２５（伝達歯車２５１）が支持されているため、リング歯車２４および装飾部材２３とともに各伝達部材２５全体も変位（リング歯車２４の回動中心周りに変位）する。リング歯車２４とともに各伝達部材２５が変位するため、伝達歯車２５１の回転は停止する（伝達部材２５全体は変位するが伝達部材２５の回動は停止する）。すなわち、中継部材２２および演出部材２１の変位は停止する。演出部材２１の変位が停止するということは、それ以上複数の演出部材２１によって囲まれる領域が大きくならないということである。つまり、当該領域の大きさは、係合突起２３１が長孔２４１の他方側端部に到達した時点で最大となる（当該領域が最大となった状態を演出状態と称する）。
【００５２】
したがって、係合突起２３１が長孔２４１の他方側端部に到達した後は、リング歯車２４が回転することにより、演出部材２１、中継部材２２および装飾部材２３が、そのままの態様を維持しつつ回転する。つまり、複数の演出部材２１によって囲まれる領域が最大となった演出状態（図４に示した態様）のまま、演出部材２１、中継部材２２および装飾部材２３が回転する。
【００５３】
駆動モータ２６を反対方向に駆動させれば（逆転させれば）、各部材が上記とは逆方向に変位し、複数の演出部材２１によって囲まれる領域が小さくなっていく。
【００５４】
このように、本実施形態における第二演出ユニット２０は、各中継部材２２における一の演出部材２１の一方側接続部２１１が接続される箇所と、他の演出部材の他方側接続部２１２が接続される箇所が異なっているから、中継部材２２を回動（変位）させると、一の演出部材２１の一方側接続部２１１と他の演出部材２１の他方側接続部２１２の相対位置が変位する。このように各演出部材２１の接続部同士の相対位置が変位するということは、各演出部材２１同士の相対位置が変位するということである。つまり、中継部材２２を変位させるだけで、環状に並べられた複数の演出部材２１によって構成される演出形態が変化する、簡易な構造のユニットとすることが可能である。
【００５５】
また、第二演出ユニット２０は、一の演出部材２１の一方側接続部２１１は中継部材２２の前側に接続されており、一の演出部材２１の他方側接続部２１２は中継部材２２の後側に接続されているから、各演出部材２１の一方側接続部２１１が隣接する演出部材２１の他方側接続部２１２よりも前方に位置するような演出形態を構築する。つまり、複数の演出部材２１によって構築される演出形態を立体的なものとすることが可能である。
【００５６】
また、各中継部材２２を変位させることで、複数の演出部材２１によって囲まれる領域の大きさが変化する趣向性の高い演出ユニットとすることが可能である。そして、当該領域を通じて視認可能となる装飾部材２３が設けられており、上記領域の大きさが変化することによって視認可能となる装飾部材２３の大きさ（面積）が変化することとなるから、演出の趣向性をさらに向上させることが可能である。本実施形態では、複数の演出部材２１によって囲まれる領域が多角形状となるから、あたかも多角形状の装飾部材２３の大きさが変化したしたかのような演出態様とすることが可能である。
【００５７】
［第一演出ユニット１０と第二演出ユニット２０が組み合わされた演出］
以下、上記第一演出ユニット１０と第二演出ユニット２０の両方を用いた演出について説明する。上述したように、ベース部材３０が下方にスライドすることで、第一演出ユニット１０により環状の演出形態１ｒが構築される。また、ベース部材３０は、第二演出ユニット２０が支持されている。左上において互いに沿うように左側第一分割部１１Ｌと左側第二分割部１２Ｌが重なった第一状態にあり、右上において互いに沿うように右側第一分割部１１Ｒと右側第二分割部１２Ｒが重なった第一状態にあるとき、原位置に位置するベース部材３０に支持された第二演出ユニット２０は、左側の分割部組と右側の分割部組の間に位置する（図２参照）。
【００５８】
ベース部材３０が下方にスライドしていくと、第一分割部１１と第二分割部１２が互いに離れる方向、すなわち環状の演出形態１ｒを構築する方向に変位していく。ベース部材３０が下方にスライドしているため、それに支持されている第二演出ユニット２０全体も下方に移動する。ベース部材３０が所定位置までスライドして、第一分割部１１と第二分割部１２が第二状態となって環状の演出形態１ｒが構築されたときには、当該ベース部材３０に支持された第二演出ユニット２０は、環状の演出形態１ｒの内側に入り込んだ状態となる。つまり、第一演出ユニット１０によって構築された環状の演出形態１ｒと、第二演出ユニット２０が組み合わされた演出形態が構築される。なお、本実施形態では、ベース部材３０に支持されながら第二演出ユニット２０が下方に移動していくときに、駆動モータ２６が駆動されることにより、第二演出ユニット２０は、初期状態から複数の演出部材２１によって囲まれる領域が最大となった演出状態となる（図４参照）。
【００５９】
このように、本実施形態では、ベース部材３０の移動により第一演出ユニット１０（第一分割部１１および第二分割部１２）が環状の演出形態１ｒを構築するとともに、ベース部材３０に支持された第二演出ユニット２０が構築された環状の演出形態１ｒの内側に入り込む。通常、このような環状の役物とその内側に位置する役物が組み合わされた演出形態を構築する場合、まず内側に位置する役物を所定位置に位置させた後、環状の役物を構築する必要がある。このような流れで駆動させると、所定の演出形態を構築するまでに時間がかかってしまう。この種の演出形態が構築されるまでの時間が長いと、遊技者が興醒めしてしまう、リーチ演出等における限られた時間内に演出形態を構築することができない（所定のリーチ演出に利用することができない）、といった問題を招く。
【００６０】
これに対し本実施形態では、ベース部材３０が、第一演出ユニット１０によって環状の演出形態１ｒを構築するための駆動機構の一部としての役割を果たすとともに、第二演出ユニット２０を環状の演出形態１ｒの内側まで移動させる役割を果たすから、所定の演出形態を素早く構築することが可能である。
【００６１】
以上、本発明の実施の形態について詳細に説明したが、本発明は上記実施の形態に何ら限定されるものではなく、本発明の要旨を逸脱しない範囲で種々の改変が可能である。
【００６２】
例えば、上記実施形態では、四つの分割部（左側第一分割部１１Ｌ、左側第二分割部１２Ｌ、右側第一分割部１１Ｒ、右側第二分割部１２Ｒ）が組み合わされて環状の演出形態１ｒが構築されることを説明したが、分割部の数は変更可能である。また、例えば、図９に示すように、第一状態において互いに沿うように重なる一組の第一分割部１１および第二分割部１２と、これとは別の分割部（図示するように待機位置からそのままスライドしてくるようなものであってもよいし、所定の位置に固定されていてもよいし、）が組み合わされることにより、環状の演出形態１ｒ’が構築されるようにしてもよい。つまり、第一状態において互いに沿うように重なる分割部組（ある一組の第一分割部１１と第二分割部１２）は、環状の演出形態１ｒの少なくとも一部を構築するものであればよい。
上記実施形態から得られる具体的手段（遊技機）を以下に列挙する。
手段１の発明にかかる遊技機は、環状に並べられる複数の演出部材と、前記複数の演出部材同士の間に介在され、一の演出部材の一方側に位置する一方側接続部とそれに隣接する他の演出部材の他方側に位置する他方側接続部にそれぞれが接続される複数の中継部材と、前記複数の中継部材を変位させる駆動機構と、を備え、前記各中継部材における前記一の演出部材の一方側接続部が接続される箇所と前記他の演出部材の他方側接続部が接続される箇所は異なっており、前記駆動機構を駆動し、前記各中継部材を変位させることで、前記一の演出部材の一方側接続部と前記他の演出部材の他方側接続部の相対位置が変化し、前記各演出部材同士の相対位置が変化することを特徴とする。
手段２の発明にかかる遊技機は、手段１に記載の遊技機において、前記一の演出部材の一方側接続部は前記中継部材の前側に接続されており、前記一の演出部材の他方側接続部は前記中継部材の後側に接続されていることを特徴とする。
手段３の発明にかかる遊技機は、手段１または手段２に記載の遊技機において、前記演出装置は演出前記駆動機構を駆動し、前記各中継部材を変位させることで、前記複数の演出部材によって囲まれる領域の大きさが変化することを特徴とする。
手段４の発明にかかる遊技機は、手段３に記載の遊技機において、前記複数の演出部材によって囲まれる領域を通じて視認可能となる装飾部材を備えることを特徴とする。
手段５の発明にかかる遊技機は、手段３または手段４に記載の遊技機において、内側の縁が直線状に形成されたＮ個の前記演出部材を備え、前記複数の演出部材によって囲まれる領域が、Ｎ角形となることを特徴とする。
手段１にかかる遊技機によれば、各中継部材を変位させることで、一の演出部材の一方側接続部と他の演出部材の他方側接続部の相対位置が変化し、各演出部材同士の相対位置が変化する。つまり、環状に並べられた複数の演出部材によって構成される演出形態の全体が変化する趣向性の高い演出を実行することが可能である。
手段２にかかる遊技機のように、一の演出部材の一方側接続部が中継部材の前側に、一の演出部材の他方側接続部が中継部材の後側に接続された構造とすれば、環状に並べられた複数の演出部材によって構成される演出形態を立体的なものとすることが可能である。換言すれば、手段２にかかる遊技機は、各演出部材同士の相対位置を変化させるための部材である中継部材を、複数の演出部材によって構成される演出形態を立体的なものとするための部材としても利用した点で優れるものである。
手段３にかかる遊技機のように、各中継部材を変位させることで、複数の演出部材によって囲まれる領域の大きさが変化するように構成することが可能である。この場合、手段４にかかる遊技機のように、当該領域を通じて視認可能となる装飾部材を設けておくことで、あたかも装飾部材の大きさが変化するかのような演出を実行することが可能となる。
手段５にかかる遊技機のように、演出部材の内側の縁を直線状とし、当該複数の演出部材によって囲まれる領域がＮ角形となるように構成することも可能である。つまり、上記領域を通じて視認される装飾部材が、Ｎ角形の形状を有し、その大きさを変化させることができる部材であるかのような演出を実行することが可能である。
【符号の説明】
【００６３】
１  遊技機
１ａ  演出装置
１ｒ  環状の演出形態
１０  第一演出ユニット
１１  第一分割部
１２  第二分割部
１１Ｌ  左側第一分割部
１２Ｌ  左側第二分割部
１１Ｒ  右側第一分割部
１２Ｒ  右側第二分割部
２０  第二演出ユニット（演出体）
２１  演出部材
２１１  一方側接続部
２１２  他方側接続部
２２  中継部材
２３  装飾部材
３０  ベース部材
３５  第一駆動歯車
３７  第二駆動歯車
【図１】
0005967624.tif 000002
【図２】
0005967624.tif 000003
【図３】
0005967624.tif 000004
【図４】
0005967624.tif 000005
【図５】
0005967624.tif 000006
【図６】
0005967624.tif 000007
【図７】
0005967624.tif 000008
【図８】
0005967624.tif 000009
【図９】
0005967624.tif 000010